(57)【要約】【課題】  外壁パネルの通気層内への漏水がなく、外壁パネルの両面間での水と空気の通り抜けを可能としたパラペット天端の通気構造を提供する。【解決手段】  屋外床１の縁から立ち上がり内部に通気層２ａを有する外壁パネル２と、その天端面に沿って被せられ外壁表裏両面間の水と空気の通り抜けを可能とした笠木３とを備える。外壁屋外床１側の側面から天端面に渡って被せられる防水シート９に、通気層２ａと連通する通気開口９ａを設ける。防水シート９の下側で外壁天端面に、通気層２ａと通気開口９ａとを連通させる連通開口８ａを有する下地板８を設け、その上に防水シート９を介して防水役物１０を設ける。防水役物１０は、通気開口９ａに重なる通気開口１０ａが形成され防水シート９上に固着される底板部１０ｂと、通気開口１０ａの周囲で立ち上がる立上り部１０ｃと、通気開口１０ａの上方を覆う天井面部１０ｄとを有する。【選択図】      図１
2015067986.tif 000002
【特許請求の範囲】
【請求項１】
屋外床の縁から立ち上がり内部に通気層を有する外壁パネルと、この外壁パネルの天端面に沿って被せられ前記天端面との間で外壁表裏両面間の水と空気の通り抜けを可能とした笠木とを備えるパラペット天端の通気構造であって、
前記外壁パネルの前記屋外床側の側面から天端面に渡って被せられる防水シートに、前記通気層と連通する通気開口を設け、
前記防水シートの下側で前記外壁パネルの天端面に、前記通気層と前記通気開口とを連通させる連通開口を有する下地板を設け、
前記笠木の内部で前記下地板上に前記防水シートを介して防水役物を設置し、
この防水役物は、前記防水シートの通気開口に連通する通気開口が形成され防水シート上に固着される底板部と、前記通気開口の周囲で前記底板部から立ち上がる立上り部とを有する、ことを特徴とするパラペット天端の通気構造。
【請求項２】
請求項１に記載のパラペット天端の通気構造において、前記防水役物の前記立上り部上に設けられて前記通気開口の上方を覆う天井面部を有することを特徴とするパラペット天端の通気構造。
【請求項３】
請求項１または請求項２に記載のパラペット天端の通気構造において、前記防水役物の前記立上り部は、前記通気開口の周囲の４方にそれぞれ位置する立板部を有し、反屋外床側に位置する１方の立板部のみが他の３方の立板部よりも低く、この低い立板部の上端と前記天井面部との間の隙間で通気を行うパラペット天端の通気構造。
【請求項４】
請求項１または請求項２に記載のパラペット天端の通気構造において、前記防水役物の前記立上り部は、前記通気開口の周囲の４方のうち、反屋外床側となる１方を除く３方に立板部が設けられ、前記１方で前記底板部と前記天井面部との間の隙間で通気を行うパラペット天端の通気構造。
【請求項５】
請求項３または請求項４に記載のパラペット天端の通気構造において、前記防水役物の前記立上り部の一つとして、前記外壁パネル幅方向の両端に、前記屋外床側から反屋外床側に至るに従って側方へ離れる斜めのひれ部を有するパラペット天端の通気構造。
【請求項６】
請求項３ないし請求項４のいずれか１項に記載のパラペット天端の通気構造において、前記防水役物の前記立上り部における前記外壁パネル幅方向の両端に位置する前記立板部、および前記天井面部は、いずれも、前記通気開口よりも反屋外床側に延びるパラペット天端の通気構造。
【請求項７】
請求項３ないし請求項６のいずれか１項に記載のパラペット天端の通気構造において、前記防水役物の前記立上り部は、前記外壁パネル幅方向の両端の前記立板部の間に１枚
または複数枚の仕切り板部を有するパラペット天端の通気構造。
【発明の詳細な説明】
【技術分野】
【０００１】
この発明は、建物の陸屋根やバルコニーなどの屋外床の縁から立ち上がり内部に通気層を有する外壁パネルと、この外壁パネルの天端面に沿って被せられる笠木とを備えるパラペット天端の通気構造に関する。
【背景技術】
【０００２】
外壁の天端をパラペットとする場合、アルミ製等の笠木を被せる納まりがある。外壁天端の笠木部は、笠木の中に水と空気の通り抜けが可能なオープンな設計とするのが一般的であるが、外壁に通気層があり、その出口を笠木付近に設ける場合は、笠木の中に水を入れないクローズな設計とし、通気の出口に外部から雨水が浸入しないように配慮するケースが一般的である。
【先行技術文献】
【特許文献】
【０００３】
【特許文献１】特開２０１１−１２７３４０号公報
【特許文献２】特開２０１２−１９３６０９号公報
【発明の概要】
【発明が解決しようとする課題】
【０００４】
屋上やベランダ等でパラペット天端から雨水をオーバーフローさせる場合、雨水の浸入を防ぐために防水シート巻き込んでいるが、外壁の通気層も塞いでしまうため、空気をどのように抜くかという課題がある。この課題に対して、特許文献１では防水シートに孔を設けて通気している。しかし、この構造では雨水を確実に防水することができない。
また、通気の出口を設ける場合、雨水の入口となる恐れがあり、十分な防水性能を確保する必要がある。そのため、笠木の外壁へのかぶり寸法を確保するために笠木の見付け寸法が大きくなるなど、意匠性を損なうという課題がある。笠木をクローズな設計とする場合は、アルミの線膨張係数が大きいために、伸縮によりジョイントから漏水する問題がある。
【０００５】
この発明の目的は、外壁パネルの通気層内への漏水を生じることなく、外壁パネルの表裏両面間での水と空気の通り抜けを可能としたパラペット天端の通気構造を提供することである。
【課題を解決するための手段】
【０００６】
この発明のパラペット天端の通気構造は、屋外床の縁から立ち上がり内部に通気層を有する外壁パネルと、この外壁パネルの天端面に沿って被せられ前記天端面との間で外壁表裏両面間の水と空気の通り抜けを可能とした笠木とを備えるパラペット天端の通気構造であって、前記外壁パネルの前記屋外床側の側面から天端面に渡って被せられる防水シートに、前記通気層と連通する通気開口を設け、前記防水シートの下側で前記外壁パネルの天端面に、前記通気層と前記通気開口とを連通させる連通開口を有する下地板を設け、前記笠木の内部で前記下地板上に前記防水シートを介して防水役物を設置している。前記防水役物は、前記防水シートの通気開口に連通する通気開口が形成され防水シート上に固着される底板部と、前記通気開口の周囲で前記底板部から立ち上がる立上り部とを有する。
なお、外壁パネルのうち、屋外床よりも上方の部分がパラペットを構成していても、また、外壁パネルの全体がパラペットであってもよい。この明細書において、「外壁パネル」は、パラペットを含める意味として使用する。
【０００７】
この構成によると、外壁パネルの通気層の空気は、下地板の連通開口、防水シートの通気開口、防水役物の通気開口を経て笠木の内部の通気路に至り、外壁の屋外床側または両側に排出される。また、屋外床側から雨水がオーバーフローして、笠木の内部の通気路に浸入してきても、外壁パネルの通気層への雨水の浸入を前記防水役物が阻止する。すなわち、防水役物は、外壁パネルの前記通気層に連通する通気開口が形成された底板部の周囲に立上り部が設けられているので、通気を可能としながら通気開口へ雨水が浸入するのを阻止することができる。また、外壁パネルは、屋外床側の側面から天端面に渡って防水シートが被せられているので、屋外床側から笠木の内部の通気路に雨水が浸入しても、浸入してきた雨水で外壁パネルが濡れるのを防止することができる。
これらのことから、外壁パネルの通気層内への漏水を生じることなく、外壁パネルの両面間での水と空気の通り抜けを可能としたパラペット天端の通気構造となる。
【０００８】
この発明において、前記防水役物は、前記立上り部上に設けられて前記通気開口の上方を覆う天井面部を有していても良い。この場合、通気を可能としながら通気開口へ雨水が浸入するのを、より一層確実に阻止することができる。
【０００９】
この発明において、前記防水役物の前記立上り部は、前記通気開口の周囲の４方の立板部を有し、反屋外床側に位置する１方の立板部のみが他の３方の立板部よりも低く、この低い立板部の上端と前記天井面部との間の隙間で通気を行うものとしても良い。
反屋外床側の立板部を低くしてその上から通気を行う構造であり、他の３方の立板部は高く、また天井面部で防水役物内の空間の上方が覆われているため、屋外床側から雨水がオーバーフローして笠木内の通気路を流れるときに、その雨水が通気用の隙間から外壁パネルの通気層に浸入することが防止される。
【００１０】
この発明において、前記防水役物の前記立上り部は、前記通気開口の周囲の４方のうち、反屋外床側となる１方を除く３方に立板部が設けられ、前記１方で前記底板部と前記天井面部との間の隙間で通気を行うものとしても良い。
この構成の場合も、反屋外床側となる１方を除く３方は立板部が高く、また天井面部で防水役物内の空間の上方が覆われているため、屋外床側から雨水がオーバーフローして笠木内の通気路を流れるときに、その雨水が通気用の隙間から外壁パネルの通気層に浸入することが防止される。
【００１１】
この発明において、前記防水役物の前記立上り部の一つとして、前記外壁パネル幅方向の両端に、前記屋外床側から反屋外床側に至るに従って側方へ離れる斜めのひれ部を有するものとしても良い。
このように、防水役物の立上り部として、前記斜めのひれ部を付加した場合、屋外床側から笠木の内部の通気路に浸入して防水役物に雨水が流れてきても、ひれ部のガイド作用で防水役物から外壁パネルの幅方向に雨水が離れてゆくので、外壁パネルの通気層への雨水の浸入をより確実に阻止することができる。
【００１２】
この発明において、前記防水役物の前記立上り部における前記外壁パネル幅方向の両端に位置する前記立板部、および前記天井面部は、いずれも、前記通気開口よりも反屋外床側に延びるものとしても良い。
この構成の場合、前記立板部等が前記通気開口よりも反屋外床側に延びるため、屋外床側から笠木の内部の通気路に浸入してきた雨水が、防水役物の通気開口へ逆向きに回り込んで流れることが生じ難く、外壁パネルの通気層への雨水の浸入をより確実に阻止することができる。
【００１３】
この発明において、前記防水役物の前記立上り部は、前記外壁パネル幅方向の両端の前記立板部の間に１枚または複数枚の仕切り板部を有するものとしても良い。この仕切り板部があることで、屋外床側から笠木の内部の通気路に浸入してきた雨水が、防水役物の通気開口へ逆向きに回り込んで流れることがより生じ難くなり、外壁パネルの通気層への雨水の浸入をより確実に阻止することができる。
【発明の効果】
【００１４】
この発明のパラペット天端の通気構造は、屋外床の縁から立ち上がり内部に通気層を有する外壁パネルと、この外壁パネルの天端面に沿って被せられ前記天端面との間で外壁表裏両面間の水と空気の通り抜けを可能とした笠木とを備えるパラペット天端の通気構造であって、前記外壁パネルの前記屋外床側の側面から天端面に渡って被せられる防水シートに、前記通気層と連通する通気開口を設け、前記防水シートの下側で前記外壁パネルの天端面に、前記通気層と前記通気開口とを連通させる連通開口を有する下地板を設け、前記笠木の内部で前記下地板上に前記防水シートを介して防水役物を設置し、この防水役物は、前記防水シートの通気開口に連通する通気開口が形成され防水シート上に固着される底板部と、前記通気開口の周囲で前記底板部から立ち上がる立上り部とを有するものとしたため、外壁パネルの通気層内への漏水がなく、外壁パネルの両面間での水と空気の通り抜けを可能としたパラペット天端の通気構造とすることができる。
【図面の簡単な説明】
【００１５】
【図１】この発明の第１の実施形態にかかるパラペット天端の通気構造を示す縦断面図である。
【図２】同パラペット天端の通気構造における防水役物の平面図である。
【図３】同パラペット天端の通気構造の部分分解斜視図である。
【図４】同パラペット天端の通気構造の部分斜視図である。
【図５】同パラペット天端の通気構造が適用される外壁の概要を示す正面図である。
【図６】同パラペット天端の通気構造の外壁パネル天端部を示す斜視図である。
【図７】防水役物の他の構成例を正面側から見た斜視図である。
【図８】（Ａ）は同防水役物を側方から見た斜視図、（Ｂ）は同防水役物の一部を破断して示す斜視図である。
【図９】同防水役物の平面図である。
【図１０】防水役物のさらに他の構成例を正面側から見た斜視図である。
【図１１】同防水役物を側方から見た斜視図である。
【図１２】防水役物のさらに他の構成例を正面側から見た斜視図である。
【図１３】（Ａ）は防水役物のさらに他の構成例を示す平面図、（Ｂ）は同縦断面図である。
【発明を実施するための形態】
【００１６】
この発明の第１の実施形態を図１ないし図６と共に説明する。このパラペット天端の通気構造は、図１に縦断面図で示すように、建物の陸屋根やバルコニーなどの屋外床１の縁から立ち上がり内部に通気層２ａを有する外壁パネル２と、この外壁パネル２の天端面に沿って被せられ前記天端面との間で外壁表裏両面間の水と空気の通り抜けを可能とした通気路１１を構成する笠木３とを備える。前記建物は、戸建住宅等の住宅であっても、その他の建物であっても良い。外壁パネル２は、軽量溝形鋼等からなるパネルフレーム４と、このパネルフレーム４の両面に配置された合板などからなる下地材５，６と、パネルフレーム４の屋外床１側とは反対側（反屋外床側）に前記下地材５を介して張られた外装面材７と、パネルフレーム４の屋外床１側に前記下地材６を介して張られた裏側面材７Ａを有する。下地材５，６は、パネルフレーム４の各フレーム材に沿って延びる細長い板状である。パネルフレーム４の内周側の空間内には断熱材（図示せず）が充填されている。前記外装面材７とパネルフレーム４との間に前記通気層２ａが介在し、この通気装置２ａは外壁パネル２の天端面に開口している。笠木３は、アルミ製の成形品等からなる。
【００１７】
外壁パネル２の天端面には、図３に分解斜視図で示すように、前記通気層２ａに沿って開口する連通開口８ａを有する塩ビ鋼板などからなる下地板８が、前記天端面の長手方向に一部に設けられる。連通開口８ａは、下地板８の長手方向に並んで複数形成されている。下地板８の反屋外床側の端部には下向きに延びるフランジ部８ｂが形成され、このフランジ部８ｂが外壁パネル２の外装面材７に押し当てられている。外壁パネル２には、その屋外床１側の側面から天端面の前記下地板８の上面に渡って防水シート９が被せられる。この例では、防水シート９は屋外床の上面を覆う部分から一体に延びている。この防水シート９には、前記下地板８の連通開口８ａに整合状態に連通して外壁パネル２の通気層２ａと連通する通気開口９ａが設けられる。すなわち、前記下地板８の連通開口８ａは、外壁パネル２の通気層２ａと防水シート９の通気開口９ａとを連通させる。
【００１８】
図１の笠木３の内部には、前記下地板８上に前記防水シート９を介して防水役物１０が設置される。図４は、防水役物１０の設置状態を斜視図で示す。この防水役物１０は、図２に平面図で示すように、防水シート９上に接着等により固着される水平な板状の底板部１０ｂと、防水シート９の通気開口９ａの周囲で前記底板部１０ｂから立ち上がる立上り部１０ｃと、この立ち上り部１０ｃに設けられて防水シート９の通気開口９ａの上方を覆う水平な板状の天井面部１０ｄとを有し、底板部１０ｂには防水シート９の通気開口９ａと重なる通気開口１０ａが形成されている。
【００１９】
防水役物１０の立上り部１０ｃは、通気開口１０ａの周囲の４方の板状の立板部１０ｃａ，１０ｃｂ，１０ｃｃを有し、反屋外床側に位置する１方の立板部１０ｃａのみが他の３方の立板部１０ｃｂ，１０ｃｃよりも低く、この低い立板部１０ｃａの上端と前記天井面部１０ｄとの間の隙間で通気を行うようにされている。また、防水役物１０の立上り部１０ｃは、外壁パネル２の幅方向の両端の前記立板部１０ｃｂの間に１枚または複数枚（ここでは２枚）の仕切り板部１０ｃｄを有する。
【００２０】
なお、ここでは、低い立板部１０ｃａの両端部が前記通気開口１０ａに沿ってＬ字状に折れ曲がり、外壁パネル２の幅方向の両端の前記立板部１０ｃｂと平行な内側の立板部とされているが、低い立板部１０ｃａの両端部は外壁パネル２の幅方向の両端の前記立板部１０ｃｂまで延びて形成されていても良い。図２に平面図で示すように、防水役物１０の立上り部１０ｃにおける前記外壁パネル２の幅方向の両端に位置する立板部１０ｃｂ、および天井面部１０ｄは、いずれも前記通気開口１０ａよりも反屋外床側に延びて設けられている。また、天井面部１０ｄの反屋外床側の端部には、図１のように上方に延びるフランジ部１０ｄａが形成され、天井面部１０ｄの上面に付着した雨水が天井面部１０ｄの下面に及ぶのを前記フランジ部１０ｄａで阻止するようにされている。
【００２１】
外壁パネル２の天端の下地板８上には、前記防水シート９を介して前記防水役物１０が設置される他に、図３のように、笠木受１２および意匠外壁支柱用防水役物１３が設置される。笠木３は、前記笠木受１２によって外壁パネル２の天端に被さるように支持される。また、前記意匠外壁支柱用防水役物１３によって意匠外壁支柱１４が外壁パネル２の天端の下地板８上に支持される。防水役物１０は、外壁パネル２の１枚毎に１つまたは複数設置される。図５は、複数枚並ぶ外壁パネル２のそれぞれに１つの防水役物１０が設置されている状態を概略の正面図で示している。図６は、複数枚並ぶ外壁パネル２の天端に前記防水役物１０と笠木受１２が交互に並んで設置されている状態を斜視図で示している。
【００２２】
図１に示すように、笠木３は、外壁パネル２の前後両側に張り出す部分３ａ，３ｂを有する。笠木３の前方つまり反屋外床側の張出し部分３ａは下方に折れ曲がった断面Ｌ字状に形成され、その下端には外壁パネル２の天端側に延びて前記下地板８のフランジ部８ａの下端に押し当てられる吹上り防止材１５が取付けられている。吹上り防止材１５は、外壁パネル２の天端面と笠木３との間に形成される通気路１１の反屋外床側を閉じて、吹上りの空気が前記通気路１１内に浸入するのを阻止するフラップ状の部材である。笠木３の後方つまり屋外床１側の張出し部分３ｂは下方に折れ曲がった断面Ｌ字状に形成され、前記通気路１１が屋外床１側に開放されている。
【００２３】
この構成のパラペット天端の通気構造によると、外壁パネル２の通気層２ａの空気は、下地板８の連通開口８ａ、防水シート９の通気開口９ａ、防水役物１０の通気開口１０ａを経て笠木３の内部の通気路１１に至り、屋外床１側に排出される。また、屋外床１側から雨水がオーバーフローして、笠木３の内部の通気路１１に浸入してきても、外壁パネル２の通気層２ａへの雨水の浸入を防水役物１０が阻止する。すなわち、防水役物１０では、前記通気層２ａに連通する通気開口１０ａが形成された底板部１０ｂの周囲に立上り部１０ｃが設けられ、この立上り部１０ｃには前記通気開口１０ａの上方を覆う天井面部１０ｄが設けられているので、通気開口１０ａへ雨水が浸入するのを阻止することができる。また、外壁パネル２は、屋外床１側の側面から天端面に渡って防水シート９が被せられているので、屋外床１側から笠木３の内部の通気路１１に雨水が浸入しても、浸入してきた雨水で外壁パネル２が濡れるのを防止することができる。
【００２４】
前記立上り部１０ｃを構成する４方の立板部１０ｃａ，１０ｃｂ，１０ｃｃのうち、反屋外床側に面する立板部１０ｃａは、他の立板部１０ｃｂ，１０ｃｃより低くされているので、その立板部１０ｃａと天井面部１０ｄとの隙間から、外壁パネル２の通気層２ａの空気を笠木３の通気路１１に排出することができる。
また、この実施形態では、防水役物１０の立上り部１０ｃにおける外壁パネル２の幅方向の両端に位置する立板部１０ｃｂ、および天井面部１０ｄが、底板部１０ｂの通気開口１０ａよりも反屋外床側に延びているので、屋外床１側から笠木３の内部の通気路１１に浸入してきた雨水は、前記立板部１０ｃｂ、および天井面部１０ｄに遮られて底板部１０ｂの通気開口１０ａに近づき難く、外壁パネル２の通気層２ａへの雨水の浸入をより確実に阻止することができる。
【００２５】
なお、吹上りの空気と共に雨水が、前記吹上り防止材１５を越えて通気路１１内に浸入することがあっても、前記防水役物１０の機能により、外壁パネル２の通気層２ａ内に吹上りに伴う雨水が浸入するのを阻止することもできる。
これらのことから、このパラペット天端の通気構造によると、外壁パネル２の通気層２ａ内への漏水がなく、外壁パネル２の両面間での水と空気の通り抜けを可能とした通気構造とすることができる。
【００２６】
図７ないし図９は、前記防水役物１０の他の構成例を示す。この構成例では、立上り部１０ｃが、上記した立板部１０ｃａ，１０ｃｂ，１０ｃｃ、および仕切り板部１０ｃｄの他に、外壁パネル２の幅方向の両端に、屋外床１側から反屋外床側に至るに従って側方へ離れる斜めのひれ部１０ｃｅを有している。ひれ部１０ｃｅの高さは、外壁パネル２の幅方向の両端に位置する立板部１０ｃｂと同じ高さとされている。その他の構成は、図１〜図６に示した防水役物１０の場合と同様である。なお、図８（Ｂ）は、図８（Ａ）に示す防水役物１０の一部を破断した斜視図を示している。
【００２７】
このように、防水役物１０の立上り部１０ｃとして、前記斜めのひれ部１０ｃｅを付加した場合、雨水が屋外床１側から笠木３の内部の通気路１１に浸入して防水役物１０に近づいてきても、前記ひれ部１０ｃｅのガイド作用で、図８（Ａ），図９に矢印で示すように防水役物１０から外壁パネル２の幅方向に雨水が離れてゆき、また、前記ヒレ部１０ｃｅによる遮蔽によって、反屋外床側からの吹き上りの空気と雨水が防水役物１０内側へ侵入すること自体を減少させることができるので、外壁パネル２の通気層２ａへの雨水の浸入をより確実に阻止することができる。
【００２８】
図１０および図１１は、前記防水役物１０のさらに他の構成例を示す。この構成例は、図７〜図９に示した構成例において、前記ひれ部１０ｃｅの高さを立板部１０ｃｂより低くしたものであり、その他の構成は図７〜図９に示したものと同様である。この場合、ひれ部１０ｃｅの高さが低い分だけ雨水を案内するガイド作用は多少劣るものの、防水役物１０から外壁パネル２の幅方向に雨水が離れてゆくことは同じであり、防水役物１０内側へ侵入した空気を屋外床１側へと排出する作用を増すことができ、外壁パネル２の通気層２ａへの雨水の浸入をより確実に阻止することができる。
【００２９】
図１２は、前記防水役物１０のさらに他の構成例を示す。この構成例は、図１０〜図１１に示した構成例において、前記ひれ部１０ｃｅの高さを反屋外床側へと徐々に低くしたものであり、その他の構成は図７〜図９に示したものと同様である。この場合、雨水を案内するガイド作用と防水役物１０内側へ侵入した空気を反屋外床１側へと排出する作用の両方をより効果的にし、外壁パネル２の通気層２ａへの雨水の浸入をより確実に阻止することができる。
【００３０】
図１３は、前記防水役物１０のさらに他の構成例を示す。この構成例では、立上り部１０ｃとして、底板部１０ｂの通気開口１０ａの周囲の４方のうち、反屋外床側となる１方を除く３方に立板部１０ｃｂ，１０ｃｃが設けられ、前記１方における底板部１０ｂと天井面部１０ｄとの間の隙間で通気を行うようにされている。すなわち、この構成例は、図１〜図６に示した防水役物１０において、立板部１０ｃａを省略した構成とされている。その他の構成は、図１〜図６に示した防水役物１０の場合と同様である。なお、図１３（Ａ）はこの構成例の防水役物１０の平面図を示し、図１３（Ｂ）はその縦断面図を示している。
【００３１】
この構成例では、底板部１０ｂの通気開口１０ａの周囲の４方のうち、反屋外床側となる１方の立板部を省略しているので、外壁パネル２の通気層２ａへの雨水の浸入の度合いは多少高くなるが、他の立板部１０ｃｂ，１０ｃｃと天井面部１０ｄとで十分に雨水の浸入を阻止することができる。また、１方の立板部を省略したことから、外壁パネル２の通気層２ａと笠木３の内部の通気路１１との間の通気性をそれだけ高められるという効果が得られる。
【符号の説明】
【００３２】
１…屋外床
２…外壁パネル
２ａ…通気層
３…笠木
８…下地板
８ａ…連通開口
９…防水シート
９ａ…通気開口
１０…防水役物
１０ａ…通気開口
１０ｂ…底板部
１０ｃ…立上り部
１０ｃａ，１０ｃｂ，１０ｃｃ…立板部
１０ｃｄ…仕切り板部
１０ｃｅ…ひれ部
１０ｄ…天井面部
【図１】
2015067986.tif 000003
【図２】
2015067986.tif 000004
【図３】
2015067986.tif 000005
【図４】
2015067986.tif 000006
【図５】
2015067986.tif 000007
【図６】
2015067986.tif 000008
【図７】
2015067986.tif 000009
【図８】
2015067986.tif 000010
【図９】
2015067986.tif 000011
【図１０】
2015067986.tif 000012
【図１１】
2015067986.tif 000013
【図１２】
2015067986.tif 000014
【図１３】
2015067986.tif 000015